(57)【要約】【課題】  固有情報が付加され、製品毎に識別可能なレンズ付きフイルムユニット及びその管理方法を提供する。【解決手段】  レンズ付きフイルムユニット１０の上面には、無線でデータの送受信が可能なＲＦＩＤタグ２２が設けられている。タグライタ３５によって、このＲＦＩＤ２２に固有のＩＤ情報を書き込む。これにより、レンズ付きフイルムユニット１０を製品毎に識別可能である。このため、流通過程にて、この固有のＩＤ情報を読み取ることにより、出荷及び入荷数量の管理やトレーサビリティ管理を行うことができる。また、レンズ付きユニット１０を販売する際に、ＲＦＩＤ２２に販売店のＩＤ情報や支払料金の情報を書き込んで、販売管理に利用しても良い。【選択図】        図３
2005283660.tif 000002
【特許請求の範囲】
【請求項１】
シャッタ機構やフイルム巻き上げ機構等の簡単な撮影機構がユニット本体に組み込まれ、予め写真フイルムが装填されたレンズ付きフイルムユニットにおいて、
各種情報を記憶するＩＣタグを設けたことを特徴とするレンズ付きフイルムユニット。    
【請求項２】
前記ＩＣタグは、前記ユニット本体を構成する外装部品、前記ユニット本体を覆う包装体、及び前記写真フイルムを収納する写真フイルムパトローネの少なくとも１つに設けられていることを特徴とする請求項１記載のレンズ付きフイルムユニット。
【請求項３】
前記ＩＣタグは、無線により情報を送受信することが可能なＲＦＩＤであることを特徴とする請求項１または請求項２記載のレンズ付きフイルムユニット。
【請求項４】
請求項１ないし請求項３のいずれか１つに記載のレンズ付きフイルムユニットを管理するレンズ付きフイルムユニットの管理方法において、
前記ＩＣタグに固有のＩＤ情報を書き込み、前記固有のＩＤ情報を読み取ることにより前記レンズ付きフイルムユニットを識別することを特徴とするレンズ付きフイルムユニットの管理方法。
【請求項５】
前記固有のＩＤ情報を前記ＩＣタグに工場で書き込み、前記レンズ付きフイルムユニットの流通過程にて、前記ＩＣタグから前記固有のＩＤ情報を読み取ることにより、前記レンズ付きフイルムユニットの数量管理、及びトレーサビリティ管理することを特徴とする請求項４記載のレンズ付きフイルムユニットの管理方法。
【請求項６】
前記レンズ付きフイルムユニットを販売する販売店にて、前記ＩＣタグに支払料金や販売店に関する情報を書き込んで販売して、前記情報を販売管理に利用することを特徴とする請求項４または請求項５記載のレンズ付きフイルムユニットの管理方法。
【請求項７】
特殊効果やプリントサイズを指定するプリント処理情報を前記ＩＣタグに書き込んで販売して、プリント処理時に前記プリント処理情報を読み取って、プリント処理方法を変更することを特徴とする請求項４ないし請求項６のいずれか記載のレンズ付きフイルムユニットの管理方法。
【発明の詳細な説明】
【技術分野】
【０００１】
本発明は、レンズ付きフイルムユニット、及びその管理方法に関する。
【背景技術】
【０００２】
レンズ付きフイルムユニットは、その使用方法が簡単で低価格であることから広く利用されている。このようなレンズ付きフイルムユニットは、内部のフイルムが湿気等で性能が劣化しないように防湿機能を有する包装袋に収納して販売されている。
【０００３】
このような包装袋にはバーコードが印刷されており、工場での製品管理や、販売店での商品管理などに利用されている。また、このバーコードとは別に、ユニット本体を覆う紙箱等の外装体、包装袋、段ボール箱に、レンズ付きフイルムユニットの品種を識別するための識別マークを設け、包装ラインにデザインが異なる外装体、包装袋、段ボール箱が混入するのを防止する方法が知られている（例えば、特許文献１参照）。
【０００４】
【特許文献１】特開平０６−２６６０５６号公報
【発明の開示】
【発明が解決しようとする課題】
【０００５】
しかしながら、前述のバーコードや上記特許文献１に記載の識別マークは、レンズ付きフイルムユニットの品種のみ識別することが可能であり、製品毎に識別することができず、製品単位での管理ができないという問題があった。
【０００６】
本発明は、固有情報を付加することが可能なレンズ付きフイルムユニット、及びその管理方法を提供することを目的とする。
【課題を解決するための手段】
【０００７】
上述の課題を解決するため、本発明のレンズ付きフイルムユニットは、シャッタ機構やフイルム巻き上げ機構等の簡単な撮影機構がユニット本体に組み込まれ、予め写真フイルムが装填されたレンズ付きフイルムユニットにおいて、各種情報を記憶するＩＣタグを設けたことを特徴とするものである。
【０００８】
また、前記ＩＣタグは、前記ユニット本体を構成する外装部品、前記ユニット本体を覆う包装体、及び前記写真フイルムを収納する写真フイルムパトローネの少なくとも１つに設けられていることが好ましい。
【０００９】
さらに、前記ＩＣタグは、無線により情報を送受信することが可能なＲＦＩＤであることが好ましい。
【００１０】
上述の課題を解決するため、本発明のレンズ付きフイルムユニットの管理方法は、前記ＩＣタグに固有のＩＤ情報を書き込み、前記固有のＩＤ情報を読み取ることにより前記レンズ付きフイルムユニットを識別することを特徴とするものである。
【００１１】
また、前記固有のＩＤ情報を前記ＩＣタグに工場で書き込み、前記レンズ付きフイルムユニットの流通過程にて、前記ＩＣタグから前記固有のＩＤ情報を読み取ることにより、前記レンズ付きフイルムユニットの数量管理、及びトレーサビリティ管理しても良い。
【００１２】
さらに、前記レンズ付きフイルムユニットを販売する販売店にて、前記ＩＣタグに支払料金や販売店に関する情報を書き込んで販売して、前記情報を販売管理に利用しても良い。
【００１３】
また、特殊効果やプリントサイズを指定するプリント処理情報を前記ＩＣタグに書き込んで販売して、プリント処理時に前記プリント処理情報を読み取って、プリント処理方法を変更しても良い。
【発明の効果】
【００１４】
本発明のレンズ付きフイルムユニットによれば、各種情報を記憶するＩＣタグを設けたので、ＩＣタグに固有情報を付加することがすることができるので、レンズ付きフイルムユニットを製品毎に識別することができる。
【００１５】
また、本発明のレンズ付きフイルムユニットの管理方法によれば、レンズ付きフイルムユニットのＩＣタグに固有情報を付加して、製品毎に識別することができる。このため、流通過程での数量管理や流通経路の履歴を管理することができる。さらに、販売店にてＩＣタグに所定情報を付加することにより、販売管理を効率的に行うことができる。また、ＩＣタグに特殊効果やプリントサイズを指定するプリント処理情報を付加することにより、製造時に作り分けをせずに済むので、様々なプリント処理方法の専用のレンズ付きフイルムユニットを低コストで提供できる。
【発明を実施するための最良の形態】
【００１６】
図１は、本発明のレンズ付きフイルムユニット（以下、ＬＦと称する）１０の外観斜視図である。ＬＦ１０は、ユニット本体１１と、ユニット本体１１を覆う包装体である外装ラベル１２とから構成されている。ユニット本体１１には、写真フイルムが装填され、各種撮影機構が組み込まれている。外装ラベル１２は、ユニット本体の外周に巻き付けられるようにして貼付され、ユニット本体１１の各部を露呈させるための開口が形成されている。
【００１７】
ユニット本体１１の前面には、撮影レンズ１３、対物用ファインダ窓１４、ストロボ発光部１５、ストロボ選択部材１６が設けられており、上面には、シャッタボタン１７、カウンタ表示窓１８、充電完了表示部材１９が設けられている。ユニット本体１１の背面には、撮影後のフイルム巻き上げに用いられる巻き上げノブ２０の一部が露呈されている。
【００１８】
また、ユニット本体１１の上面には、無線でデータの送受信が可能なＩＣタグであるＲＦＩＤタグ２２が設けられている。このＲＦＩＤタグ２２は、接着剤等で貼り付けても良いし、ユニット本体１１を構成する外装部品であるカバー部材に埋め込んでも良し、読み書き可能であれば、どの場所に設けても良く、例えば、外装ラベル１２や写真フイルムを収納する写真フイルムパトローネに設けても良い。ＲＦＩＤタグ２２は、後述するタグリーダライタにより、無線でデータの読み書きが可能である。
【００１９】
図２は、ＲＦＩＤタグ２２の構成を示す平面図である。ＲＦＩＤタグ２２は、ＩＣチップ３１と、ＩＣチップ３１に接続されたコイル状のアンテナ３２とを備えている。ＩＣチップ３１は、データを記憶する記憶部、電源整流部、送信部、及び受信部の４つを備えており、それぞれが働きを分担して通信を行う。
【００２０】
このＲＦＩＤタグ２２は、後述するタグリーダライタからの電波をアンテナ３２が受信して、共振作用により起電力を発生させる。この起電力によりＩＣチップ３１が起動し、記憶部内に記憶された情報を信号化して、アンテナ３２により信号を発信する。また、信号を受信する場合も、同様にＩＣチップ３１を起動して、アンテナ３２を介して信号を受信して、データを記憶部に記憶させる。
【００２１】
ＬＦ１０は、工場にて固有のＩＤを書き込むことにより、製品単位で識別することができるので、製品単位での管理が可能となる。このため、数量管理がし易くなる。以下に、ＬＦ１０の管理方法について、第１〜第３の実施形態の説明をする。まず、第１の実施形態として、このＲＦＩＤタグ２２を流通過程で利用する場合のＬＦ１０の管理方法について説明する。前述のようにＲＦＩＤタグ２２を取り付けたＬＦ１０を工場にて製造する。その後、工場から出荷する前に、図３に示すように、情報を書き込むタグライタ３５によって、ユニット本体毎に固有のＩＤ情報をＲＦＩＤタグ２２に書き込む。
【００２２】
工場から出荷する際は、ＬＦ１０を図示せぬ包装袋で包装して、多数のＬＦ１０を段ボール箱３６に収納して出荷する。出荷後は、複数の配送センターを経由して販売店に配達される。
【００２３】
また、配送センターには、図４に示すように、ＲＦＩＤタグ２２の情報を読み取るタグリーダ３７がセンター毎に設置されている。このタグリーダ３７は、センター内のパソコン３８に接続されている。タグリーダ３７は、段ボール箱３６に収納された複数のＬＦ１０に取り付けられた各々のＲＦＩＤタグ２２から固有のＩＤ情報を各々から取得して、パソコン３８に情報を送信する。パソコン３８は、このＩＤ情報を取得することにより、入荷及び出荷の数量管理を行うことができる。また、パソコン３８は、インターネット３９を介してＬＦの工場内のサーバ４０に接続されており、固有のＩＤ情報、場所、数量、及び日時等の情報をサーバ４０に送信する。
【００２４】
サーバ４０は、これらの情報を各配送センターから取得することにより、ＬＦ１０の数量管理や、その配送経路の履歴を管理することによりトレーサビリティ管理を行うことができる。
【００２５】
次に、第２の実施形態として、ＲＦＩＤタグ２２を販売店で利用する場合のＬＦ１０の管理方法について説明する。図５に示すように、販売店５０には、ＲＦＩＤタグ２２に対して情報を読み書きする装置であるタグリーダライタ５１と、情報処理装置であるサーバ５２と、ミニラボ等の現像プリント装置５３と、レシートを出力するプリンタ５４とが設けられている。
【００２６】
以下、図６及び図７のフローチャートを用いて管理方法を説明する。ＲＦＩＤタグ２２に固有のＩＤ情報が書き込まれたＬＦ１０が工場にて製造され、販売店５０に配送される。なお、工場にて固有のＩＤ情報をＲＦＩＤタグ２２に書き込まずに、販売店にて、固有のＩＤ情報を書き込んでも良い。販売店５０は、ＬＦ１０を店頭に陳列して販売する。販売店５０は、ユーザがＬＦ１０を購入する際に、プリント料金を前払いするか否かを選択させる。
【００２７】
ユーザが、プリント料金を前払いすることを選択した場合、ＬＦ１０をタグリーダライタ５１に通過させて、販売店のＩＤ情報及び支払料金の情報をＲＦＩＤタグ２２に書き込む。その後、ユーザからＬＦ１０本体の料金とプリント料金の合計金額を受け取って販売する。なお、ＲＦＩＤタグ２２に書き込む支払料金は、プリント料金でも良いし、本体の料金とプリント料金の合計金額でも良い。
【００２８】
ユーザが、プリント料金を前払いしないことを選択した場合、ＬＦ１０をタグリーダライタ５１に通過させずに、ユーザからＬＦ１０本体の料金のみを受け取って販売する。なお、ＬＦ１０をタグリーダ５１に通過させて、販売店のＩＤ情報と、支払料金の情報である本体料金とを書き込んでも良い。
【００２９】
その後、ユーザが、ＬＦ１０を使用して撮影を行い。撮影が終了した時に、ＬＦ１０を販売店５０に持ち込む。販売店５０は、現像受付時に、ＬＦ１０をタグリーダライタ５１に通過させる。タグリーダライタ５１は、ＲＦＩＤタグ２２から販売店のＩＤ情報、支払料金の情報、及びＬＦ１０の固有のＩＤ情報を読み込む。プリント料金が前払いされている場合、ユーザＩＤ及び支払い済み料金の情報をサーバ５２に送信する。また、プリント料金が未払いの場合、ユーザＩＤ及び未払い料金の情報をサーバ５２に送信する。サーバ５２は、これらの受信した情報を記憶部に記憶させる。なお、このユーザＩＤとしては、ＬＦ１０の固有のＩＤ情報が利用される。
【００３０】
その後、現像プリント装置５３が、現像プリント処理を行って、プリント枚数の情報をサーバ５２に送信して記憶させる。なお、プリント枚数の情報は、オペレータの操作によりキーボード入力されるようにしても良い。
【００３１】
サーバ５２は、支払料金の情報、及びプリント枚数の情報に基づいて、未払い料金を算出して、プリンタ５４を制御してレシートを印字する。
【００３２】
販売店は、ユーザがプリントを受け取りに来た時に、レシートに印字された料金を受け取ってネガと写真プリントを渡す。つまり、プリント料金が前払いされている場合は、料金を受け取らずに、ネガと写真プリントをユーザに渡す。また、プリント料金が前払いされていない場合、レシートに印字された未払い料金を受け取って、ネガと写真プリントをユーザに渡す。
【００３３】
前述のような販売店におけるＬＦの管理方法では、ＬＦを販売する際に、プリント料金を前払いできるように管理することができる。このため、プリント料金を前払いすると割引されるように料金設定すれば、ユーザにとっては、お買得感があり、さらに販売店にとっては、そのユーザから現像受付ができるという効果がある。また、プリント料金を前払いしなくても、同じ販売店に現像受付に出した場合、プリント料金を割引するようにしても良く、前述と同様の効果が得られる。この場合、ＬＦを販売した際に、ＲＦＩＤタグ２２に書き込まれた販売店のＩＤ情報に基づいて、割引の可否を判断できる。
【００３４】
また、前払いするプリント料金は、２０枚まで所定料金に設定して、実際のプリント枚数が少ない場合、差額を返金しても良い。この場合、サーバ５２は、記憶されている支払料金の情報に基づいて、自動的に差額を計算して返金額をレシートに印字させれば良い。
【００３５】
さらに、ＬＦを購入した販売店と同じチェーン店であれば、どこの販売店でも、ＬＦを現像受付するようにしても良い。この場合、ＬＦを販売した際に、ＲＦＩＤタグ２２に書き込まれた販売店のＩＤ情報に基づいて、現像受付可能か否かを判断できる。
【００３６】
なお、前述の説明では、プリント料金が前払いされているか否かを判断するためにＲＦＩＤタグ２２を利用するものであるが、バーコードの使用と同様に、商品管理と料金管理にのみ利用しても良い。
【００３７】
次に、第３の実施形態として、特殊効果やプリントサイズ等を指定するプリント処理情報をＲＦＩＤタグ２２に記憶させてＬＦ１０を販売するＬＦ１０の管理方法について説明する。
【００３８】
販売店にてＬＦ１０を販売する際に、ユーザの要望に応じて特殊効果（例えば、セピアプリント等）やプリントサイズ（例えば、ハガキサイズプリント等）を指定するプリント処理情報をタグライタによりＲＦＩＤタグ２２にて書き込んで、それぞれ専用のＬＦとして販売する。なお、ＲＦＩＤタグ２２へのプリント処理情報の書き込みは、工場で行っても良いし、販売店で行っても良い。また、それぞれ指定された情報が、外観で識別できるように対応するマーキングを施しても良い。
【００３９】
現像受付時に、タグライタによりＲＦＩＤタグ２２から指定された情報を読み取って、その情報に基づいて、プリント処理を行う。
【００４０】
このような管理方法によれば、同じＬＦのＲＦＩＤに書き込む情報を変えるだけで、特殊効果やプリントサイズが指定された専用のＬＦを販売できるので、製造時に作り分けずに済む。このため、製造コストを安くできる。また、様々なバリエーションの専用ＬＦを販売することができる。
【００４１】
なお、本実施形態において、ＩＣタグとしてＲＦＩＤタグを用いる場合について説明したが、これに限るものではなく、他のＩＣタグでも良い。
【図面の簡単な説明】
【００４２】
【図１】ＬＦの構成を示す外観斜視図である。
【図２】ＲＦＩＤタグの構成を示す平面図である。
【図３】ＲＦＩＤタグへの情報の書き込みを説明する説明図である。
【図４】流通過程でのＬＦの管理方法を示す説明図である。
【図５】販売店でのＬＦの管理方法を示す説明図である。
【図６】販売店でのＬＦの管理方法を説明するフローチャートである。
【図７】販売店でのＬＦの管理方法を説明するフローチャートである。
【符号の説明】
【００４３】
１０  ＬＦ
１１  ユニット本体
１２  外装ラベル
２２  ＲＦＩＤタグ
３５  タグライタ
３７  タグリーダ
５０  販売店
【図１】
2005283660.tif 000003
【図２】
2005283660.tif 000004
【図３】
2005283660.tif 000005
【図４】
2005283660.tif 000006
【図５】
2005283660.tif 000007
【図６】
2005283660.tif 000008
【図７】
2005283660.tif 000009